(57)【要約】      （修正有）【課題】ＬＥＤ照明器具を使用し、トンネル内で使用することができるトンネル用照明器具を提供する。【解決手段】前面に少なくとも２箇所の開口部２を形成した器具本体と、該器具本体内に取り付け板４を介して着脱可能に取り付けられ、複数のＬＥＤ素子７を配置した基板５と、該基板の周囲から前記開口部方向に拡径して設けられた反射板６と、前記ＬＥＤ素子を発光させる電源装置８とからなるトンネル用の照明器具であって、前記器具本体の裏面には複数の通気スリットが形成され、前記基板を保持する取り付け板は、前記器具本体の裏面の通気スリットと対向して所定の間隔を空けて取り付けた。【選択図】図１
0003159217.tif 000002
【実用新案登録請求の範囲】
【請求項１】
前面に少なくとも２箇所の開口部を形成した器具本体と、該器具本体内に取り付け板を介して着脱可能に取り付けられ、複数のＬＥＤ素子を配置した基板と、該基板の周囲から前記開口部方向に拡径して設けられた反射板と、前記ＬＥＤ素子を発光させる電源装置とからなるトンネル用の照明器具であって、前記器具本体の裏面には複数の通気スリットが形成され、前記基板を保持する取り付け板は、前記器具本体の裏面の通気スリットと対向して所定の間隔を空けて取り付けられ、該スリットは前記基板の発する熱を放出すると共に、器具本体内に流入する水を排出することを特徴とするトンネル用照明器具。
【考案の詳細な説明】
【技術分野】
【０００１】
本考案は、照明器具であって、とくにＬＥＤを使用しトンネル内で使用されるトンネル用照明器具に関するものである。
【背景技術】
【０００２】
従来、トンネル内の道路や舗道等の路面及び壁面を照明する灯具には、高輝度ランプや蛍光ランプが光源として用いられてきた。また、この光源の光を路面に均一に照射させるために反射鏡が使用されている。
【０００３】
しかし、これらの光源はそのほとんどが、口金を持った直管状のランプであり、ランプを駆動させるためには１００Ｗを越える消費電力を必要とし、しかもランプの寿命が短いため多大の経費が掛かると同時に、環境負荷が大きいという問題があった。
【０００４】
そこで、自動車走行方向に対して片側の壁面にのみ照明器具を設置してトンネル内を照明する照明技術が提案されている（特許文献１参照。）。また、水密された基体にＬＥＤ基板を装着したトンネル用照明器具もある（特許文献２参照。）。
【先行技術文献】
【特許文献】
【０００５】
【特許文献１】特開２００８−８４６０４号公報
【特許文献２】特開２００５−１４２１１６号公報
【考案の概要】
【考案が解決しようとする課題】
【０００６】
上記特許文献１に提案されている技術は、トンネル内に設置する照明器具の数を削減可能とするものであり、使用する電力量を低減できるものであるが、使用される光源は従来の放電型ランプであり長期間の使用ができないため、取替え作業などに多大の経費を必要とした。また、特許文献２に記載された照明器具は、ＬＥＤ基板を使用するため、消費電力は減少するが、水密構造であるためＬＥＤの発熱による劣化が生じるという問題があり寿命が短くなるという欠点があった。
【０００７】
上記の問題点に鑑み本発明者らは、消費電力の少ないＬＥＤ素子を複数実装した金属ベース基板を光源として採用し、充分な光量を確保できると共に、照明器具に掛かる維持経費を低減できるトンネル用照明器具を提供するに至った。
【課題を解決するための手段】
【０００８】
前面に少なくとも２箇所の開口部を形成した器具本体と、該器具本体内に取り付け板を介して着脱可能に取り付けられ、複数のＬＥＤ素子を配置した基板と、該基板の周囲から前記開口部方向に拡径して設けられた反射板と、前記ＬＥＤ素子を発光させる電源装置とからなるトンネル用の照明器具であって、前記器具本体の裏面には複数の通気スリットが形成され、前記基板を保持する取り付け板は、前記器具本体の裏面の通気スリットと対向して所定の間隔を空けて取り付けられ、該スリットは前記基板の発する熱を放出すると共に、器具本体内に流入する水を排出することを特徴とする。
【考案の効果】
【０００９】
本考案に係るトンネル用照明器具によれば、複数のＬＥＤ素子を金属ベース基板の表面に実装したＬＥＤ基板を使用したため、消費電力が少なく、しかもＬＥＤ基板は器具本体の裏面の通気スリットと対向して所定の間隔を空けて取り付けられた取り付け板に保持されており、放熱性に優れ、ＬＥＤの発熱による劣化を防止できるという効果を有する。
【００１０】
また、器具本体内に滞留する水を、器具本体の裏面の通気スリットを介して排出できるという効果を有する。
【図面の簡単な説明】
【００１１】
【図１】本考案に係るトンネル用照明器具の一実施例を示す説明図である。
【図２】図１の部分詳細説明図である。
【図３】本考案のトンネル用照明器具の取り付け説明図である。
【図４】本考案のトンネル用照明器を使用した放熱実験説明図である。
【図５】放熱実験結果を示すグラフである。
【考案を実施するための最良の形態】
【００１２】
以下、本考案を実施例を示す図面を参照しながら説明するが、本考案が本実施例に限定されないことは言うまでもない。図１は、本考案のトンネル用照明器具の一実施例を示す説明図であり、図１（ａ）は平面説明図、図１（ｂ）は側面説明図、図２は図１の部分詳細説明図であり、図２（ａ）は背面説明図、図２（ｂ）は縦断面説明図、図３は本考案のトンネル用照明器具の取り付け説明図、図４は本考案のトンネル用照明器を使用した放熱実験説明図、図５は放熱実験結果を示すグラフである。
【実施例】
【００１３】
図１及び図２に示すように、本考案のトンネル用照明器具１は、一端側に二箇所の開口部２を形成した、ステンレス製箱体３と、この箱体３内の取り付け板４に着脱可能に取付けられる矩形のＬＥＤ基板５と、このＬＥＤ基板５の周囲から開口部２方向に拡径して取り付けられた反射板６と、ＬＥＤ基板５と接続しＬＥＤ素子７発光させる電源装置８と、照明器具カバー９とから構成され、箱体３の側面に設けられた取付金具１０を介してトンネル壁面に取付けられる。
【００１４】
取り付け板４は、一端側を開放した略箱型に形成され、箱体３の内面底部に止水用シリコーン接着剤を介して取り付けられ、この取り付け板４と箱体３との間には箱状の空間が形成されており、また、この取り付け板４に対向する箱体３には上下に２列のスリット１１が複数貫通して刻設されている。
【００１５】
ＬＥＤ基板５は、アルミ製の基板本体に絶縁体を介して回路が形成され、さらにＬＥＤ素子７が表面に実装されている。また、ＬＥＤ基板５の基板本体は熱伝導性に優れており、上述した取り付け板４に取付けられ効率よく放熱できる。
【００１６】
反射板６はアルミ製で、その表面に高純度のチタン及びシリコンをコーティングし反射率が９０％以上とされた鏡面板であり、ＬＥＤ基板５から照射される光を効率よく反射して開口部２から照射する。
【００１７】
図３は、本考案のトンネル用照明器具１を、トンネル壁面１２に取り付けた状態を示しており、取付金具１０によって所定の角度をつけた状態で、固定されている。この状態で外部電力供給装置からＬＥＤ基板５に電力供給すると、ＬＥＤ素子７から放射される光は、反射板６による反射光を含めて照明器具カバー９から照射され、トンネル内を照明する。
【００１８】
また、図３に示す矢印Ａは熱の流れを示し、矢印Ｂは排出される水の流れを示しており、上記の照明に伴なうＬＥＤ基板５からの発熱は、取り付け板４を介してスリット１１から放熱される。そして、外部の湿気などにより取り付け板４と箱体３との間の空間に溜まった水も、スリット１１から排出される。
【００１９】
（放熱実験）
本考案のトンネル用照明器具を点灯させた状態で、箱体内部の複数の位置と外気の温度変化を測定した。図４は本考案のトンネル用照明器具内及び外の温度測定箇所を示している。尚、実験開始から約１時間後に裏面のスリットを塞ぎ、実験を継続した。その結果を図５に示す。
【００２０】
図５において、縦線は温度を示し、横線は時刻を示している。図に示すように、トンネル用照明器具内のＬＥＤ基板の温度は、スリットの有無により約１０度の温度差が確認された。すなわち箱体の裏面に形成したスリットによって照明器具内で発生した熱が効果的に放熱されることが確認された。
【００２１】
以上、本考案のトンネル用照明器具によれば、複数のＬＥＤ素子を金属ベース基板の表面に実装したＬＥＤ基板を使用したため、消費電力が少なく、しかもＬＥＤ基板は器具本体の裏面の通気スリットを形成したため、放熱性に優れ、ＬＥＤの発熱による劣化を防止できる。
【符号の説明】
【００２２】
１              トンネル用照明器具
２              開口部
３              箱体
４              取り付け板
５              ＬＥＤ基板
６              反射板
７              ＬＥＤ素子
８              電源装置
９              照明器具カバー
１０              取付金具
１１              スリット
１２              トンネル壁面
【図１】
0003159217.tif 000003
【図２】
0003159217.tif 000004
【図３】
0003159217.tif 000005
【図４】
0003159217.tif 000006
【図５】
0003159217.tif 000007